(57)【要約】【課題】搬送時にトレイの底面がリフターの爪により突き上げられた時にペリクル膜に該トレイが接触することを防止できるペリクル収納容器を提供する。【解決手段】ペリクルを載置するトレイと、該トレイの天面に被せる蓋と、該トレイの底面に配置された脚部とを有するペリクル収納容器であって、前記トレイは、ペリクル収納時に、天面の一部が前記ペリクル又は前記蓋のいずれかに接触し底面の一部が前記脚部と接する外周部と、該外周部の内側に位置し天面が前記ペリクル及び前記蓋のいずれにも接触しない内周部とを有し、該外周部は天面と底面との間に枠材を有し、該内周部は天面と底面との間に中空部を有することを特徴とするペリクル収納容器。【選択図】図２
2010217775.tif 000002
【特許請求の範囲】
【請求項１】
ペリクルを載置するトレイと、該トレイの天面に被せる蓋と、該トレイの底面に配置された脚部とを有するペリクル収納容器であって、
前記トレイは、ペリクル収納時に、天面の一部が前記ペリクル又は前記蓋のいずれかに接触し底面の一部が前記脚部と接する外周部と、該外周部の内側に位置し天面が前記ペリクル及び前記蓋のいずれにも接触しない内周部とを有し、
該外周部は天面と底面との間に枠材を有し、該内周部は天面と底面との間に中空部を有することを特徴とするペリクル収納容器。
【請求項２】
前記中空部と前記トレイの外部との間で空気の流出入を可能とする通気手段を有することを特徴とする請求項１に記載のペリクル収納容器。
【請求項３】
前記通気手段が、弁、コック、テープ、フィルター、及び防水通気性フィルムからなる群から選択された部材を有する通気孔であることを特徴とする請求項１又は２に記載のペリクル収納容器。
【請求項４】
請求項1〜３のいずれか１項に記載のペリクル収納容器の搬送方法であって、
前記トレイの底面及び脚部、並びに床面の間の空間部にリフターの爪を入れて前記トレイの底面を該爪で持ち上げることを特徴とするペリクル収納容器の搬送方法。
【請求項５】
請求項２又は３に記載のペリクル収納容器の洗浄方法であって、
前記通気手段を封止した状態で洗浄することを特徴とするペリクル収納容器の洗浄方法。
【発明の詳細な説明】
【技術分野】
【０００１】
本発明は、ＬＳＩ、液晶ディスプレイ（ＬＣＤ）を構成する薄膜トランジスタ（ＴＦＴ）やカラーフィルター（ＣＦ）等を製造する際のフォトリソグラフィー工程で使用されるフォトマスクやレティクルに異物が付着することを防止するために用いられるペリクルを収納する容器に関する。特に展張されたペリクル膜の面積が１００００ｃｍ２以上の大型ペリクル用のペリクル収納容器に関する。
【背景技術】
【０００２】
本発明は、ペリクルの収納容器に関する技術であるが、先ず、ペリクルについて説明する。
従来、半導体装置や液晶ディスプレイ等の微細回路パターン製造時のフォトリソグラフィー工程においては、一般にペリクルと呼ばれる防塵手段を用いて、フォトマスクやレティクルへの異物の付着を防止することが行われている。
ペリクルは、例えばフォトマスク或いはレティクルの形状に合わせた形状を有する厚さと幅が数ミリ程度の枠体の上縁面に、厚さ１０μｍ以下のニトロセルロース、セルロース誘導体、または含フッ素ポリマーなどの透明な高分子膜であるペリクル膜を展張して接着し、かつ該枠体の下縁面に粘着材を塗着すると共に、この粘着材からなるマスク用粘着材層に所定の接着力で保護フィルムを粘着させたものである。
【０００３】
前記粘着材層は、ペリクルをフォトマスク或いはレティクルに固着するためのものであり、また、保護フィルムは、該粘着材層がその用に供されるまで該粘着材の接着力を維持するために、該粘着材層の接着面を保護するものである。
このようなペリクルは、一般的には、ペリクルを製造するメーカー（以下「製造者」ともいう。）から、フォトマスク或いはレティクル（以下「マスク等」ともいう。）を製造するメーカー（以下「使用者」ともいう。）に供給される。使用者では、ペリクルをマスク等に貼付の後、ペリクルで保護されたマスク等を半導体メーカー、液晶パネルメーカー等のフォトリソグラフィーを行うメーカーに供給する。
【０００４】
このペリクルを製造者から使用者に運搬するにあたっては、ペリクルに異物が付着するのを防ぎ、或いはペリクルが損傷するのを防ぐために、該ペリクルをペリクル載置台（以下、「トレイ」ともいう。）と蓋とからなるペリクル収納容器内に収納し、更に防塵袋等に収納して運搬するのが一般的である。
ところで、ペリクル収納容器には、ペリクルに塵埃を付着させないための密封性が必要になる。また、ペリクル収納容器には、蓋がペリクル膜に接触しペリクル膜が汚染或いは破損するのを防止するため、ペリクル膜に非接触な状態で確実に保持し得る保持性が要求される。
【０００５】
このため、ペリクル収納容器は、蓋やペリクル載置台の変形を抑える必要がある。そこで、本出願人は特開２００５−４９７６５号公報（特許文献１）に記載したように、トレイまたは蓋の少なくとも一方に補強板を取り付けてペリクル収納容器の変形を抑制し、マスク用粘着材層の一部に局所的に重量がかかることによるエアーパスの発生や反りやたわみによってトレイや蓋がペリクルに接触することを防止する技術を提案した。
また、本出願人は特開２０００−１７３８８７号公報（特許文献２）に記載したように、トレイまたは蓋の少なくとも一方にリブを設けてペリクル収納容器の運搬中の高温度による蓋やトレイの反り等による変形を抑制し、異物侵入を防止する技術を提案した。
また、本出願人は国際公開第２００６／０８００６０号パンフレット（特許文献３）において、大型ペリクル収納容器の蓋体またはトレイにハニカム構造を有する材料を含むことで、剛性やハンドリング性、輸送時や保管時の発塵を防止し、平坦性かつ洗浄性に優れたペリクル収納容器を提案した。
【先行技術文献】
【特許文献】
【０００６】
【特許文献１】特開２００５−４９７６５号公報
【特許文献２】特開２０００−１７３８８７号公報
【特許文献３】国際公開第２００６／０８００６０号パンフレット
【発明の概要】
【発明が解決しようとする課題】
【０００７】
しかしながら、例えば展張されたペリクル膜の面積（以下、単に「面積」ともいう。）が１００００ｃｍ２を越え５００００ｃｍ２にも及ぶような大型ペリクル用のペリクル収納容器の場合には、上述の技術では従来想定されなかった問題がおこっている。
ペリクル収納容器の搬送においては、従来は人手によるハンドリングを行ってきていたが、ペリクル収納容器の大型化に伴い、人手による取り扱いが困難となってきている。そのため、大型ペリクル用のペリクル収納容器は、フォークリフトやハンドリフターなどのリフターを使用して搬送するようになってきている。このようなリフターによる搬送を行う場合には、ペリクル収納容器のトレイの底面に脚部を取り付け、該トレイの底面及び脚部、並びに床面の間の空間部にリフターの爪を入れて該ペリクル収納容器を持ち上げることが好ましいと考えられる。
【０００８】
しかしながら、リフターの爪の長さが十分でない場合は、該ペリクル収納容器を持ち上げる際に、該爪の先端部でトレイの底面を突き上げることになってしまう。大型ペリクル用のペリクル収納容器、特に、ペリクル面積が１５０００ｃｍ２を越えるような大型ペリクル収納容器のトレイともなると、一般的なリフターの爪では先端部によってトレイの底面を突き上げるリスクが高くなる。そして、ペリクル収納容器の搬送において、トレイの底面が外力によって突き上げられると、トレイが反ってしまうためにトレイとペリクル膜が接触したり、トレイの載置部の平坦性が損なわれて、マスク用粘着材層にエアパスが入ってしまうことがある。
【０００９】
この問題の解決のためには、リフターの爪を長くすることも考えられるが、リフターの汎用性及び取り回し性が悪化するという別の問題が発生する。また、先述した従来のトレイは、トレイにリブを設けたり、金属等の補強材を設置することによりトレイに剛性を与えている。しかしながら、これらは人手による取り扱いを考慮したものであり、これらのトレイをリフターで取り扱うと、該トレイの補強部分をうまくリフターの爪の先端部に乗せなければ補強効果が得られず、扱いが困難となることもある。
【課題を解決するための手段】
【００１０】
本発明者は、上述の課題に対して、底面に脚部を有するトレイの構造を、搬送のため該トレイをリフターで持ち上げる時に該リフターの爪の先端部があたる該トレイの内周部に中空部を有する構造（以下、「中空構造」ともいう。）とすることで、該トレイの底面が該リフターの爪により突き上げられたとしても該トレイの底面の変形が天面に伝播することが無いために該天面がペリクル膜に接触することが無いことを見出して、本発明に至った。
【００１１】
前記目的を達成するための本発明に係るペリクル収納容器、並びに該収納容器の搬送方法、及び洗浄方法は、以下の構成による。
（１）ペリクルを載置するトレイと、該トレイの天面に被せる蓋と、該トレイの底面に配置された脚部とを有するペリクル収納容器であって、前記トレイは、ペリクル収納時に、天面の一部が前記ペリクル又は前記蓋のいずれかに接触し底面の一部が前記脚部と接する外周部と、該外周部の内側に位置し天面が前記ペリクル及び前記蓋のいずれにも接触しない内周部とを有し、該外周部は天面と底面との間に枠材を有し、該内周部は天面と底面との間に中空部を有することを特徴とするペリクル収納容器。
（２）前記中空部と前記トレイの外部との間で空気の流出入を可能とする通気手段を有することを特徴とする（１）に記載のペリクル収納容器。
（３）前記通気手段が、弁、コック、テープ、フィルター、及び防水通気性フィルムからなる群から選択された部材を有する通気孔であることを特徴とする（１）又は（２）に記載のペリクル収納容器。
（４）（1）〜（３）のいずれかに記載のペリクル収納容器の搬送方法であって、前記トレイの底面及び脚部、並びに床面の間の空間部にリフターの爪を入れて前記トレイの底面を該爪で持ち上げることを特徴とするペリクル収納容器の搬送方法。
（５）（２）又は（３）に記載のペリクル収納容器の洗浄方法であって、前記通気手段を封止した状態で洗浄することを特徴とするペリクル収納容器の洗浄方法。
【発明の効果】
【００１２】
本発明のペリクル収納容器によれば、搬送のためにリフターを利用するときのトレイとペリクル膜との接触を防止できる。
【図面の簡単な説明】
【００１３】
【図１】ペリクル収納容器の構成の概略を示す斜視図である。
【図２】ペリクル収納容器の構成の概略を示す縦断面図である。
【発明を実施するための形態】
【００１４】
以下、図面を参照して、本発明の好ましい実施の形態について説明する。図１は、本実施の形態に係るペリクル収納容器１の構成の概略を示す斜視図である。
ペリクル収納容器１は、ペリクル２を載置するトレイ３と、該トレイ３上に被せる蓋４と、該トレイの底面に配置された脚部５とを有している。
前記蓋４は、平面から見て方形状に形成され、ペリクル２の収納時にトレイ３に接触する外周部と、該外周部の内側に位置しトレイ３と接触しない内周部を有している。蓋４の外周部は、平坦で方形の枠形状を有し、トレイ３の外周部に気密に接触できる。また、蓋４の外周部は、平板状に限られず、蓋４とトレイ３が互いに嵌合するような凹凸構造が設けられていてもよい。
【００１５】
前記脚部５は、トレイ３の底面を床面から持ち上げ、トレイ３の底面の下部にリフターの爪を入れることができる空間部を設けるためのものである。爪を入れるスペースを広く確保するために、脚部５はトレイ３の外周部の一部のみに設けることが好ましい。
前記トレイ３は、例えば厚みのある方盤形状を有し、ペリクル２をのせる平坦面である天面（以下「載置面」ともいう。）と、底面とを有する。ペリクル２及び蓋４を支える部分であるトレイ３の外周部においては、天面と底面との間に枠材を有することで強度を向上させている。一方、該外周部の内側に位置するトレイ３の内周部においては、ペリクル２も蓋４も支える必要がないため、天面と底面との間に中空部を有することで、前述したリフターの爪の先端部による底面突き上げの影響を天面が受けないようにするとともに軽量化を達成している。
【００１６】
トレイの大型化に伴い、トレイの洗浄作業負荷が大きくなるという問題も生じる。クロスによるトレイの拭き上げは手が届きにくいなど作業が困難であり、洗浄不十分となる可能性が生じる。そこでトレイを水洗することも望まれている。トレイを水洗するためには、上述のトレイ３の中空部に水が浸入しないように中空構造の密閉性を高めておくことが好ましい。
しかしながら、更に検討を進めた結果、トレイの密閉性を高めた中空構造にしただけでは、載置部の平坦性を十分に得られないことがあることが判明した。その理由は、密閉構造の中空トレイは輸送中、又はトレイ組立場所と使用場所との気圧変化や温度変化などの要因によって密閉部の気体の体積変化が起こり、トレイの天面や底面の反りや膨張を起こしてしまうからである。トレイの天面の反りや膨張が生じるとその形状が保管や輸送中にマスク用粘着材層に転写し変形しやすくなることがある。また、トレイの天面の膨張によりトレイがペリクル膜に接触するリスクが高まる。更に、トレイの底面を吸着把持してペリクルを取り出すタイプのペリクル自動貼付装置においては、トレイの反りや膨張が生じると該装置に固定できなくなるという問題も生じることがあることがわかった。
【００１７】
そこで、本発明においては、中空部と外部との間で空気の流出入を可能とする通気手段を設けることが好ましい態様である。該通気手段を設けることでトレイの反りや膨張を防止することできる。通気手段としては、直径０．５ｍｍ〜８．０ｍｍ、好ましくは０．５〜５．０ｍｍ、より好ましくは１．０〜４．０ｍｍの通気孔が好ましいが、開口形状としては丸、矩形、三角等、任意の形状を選択すればよい。また、該通気手段を設ける場所は、中空部とトレイの外部とを貫通できる場所であればどこでもよいが、ペリクルへの発塵等の面からトレイの底面に設けることがより好ましい。
【００１８】
通気手段をトレイに設ける場合は、通気孔のままでも構わないが、清浄性を考えるとこの通気孔に、開閉可能な構造、または空気は通過するが異物や水は通過しない材料、例えば、弁、コック、シール、テープ、防水通気性フィルム、またはフィルターを取り付けることが好ましい。フィルターや防水通気フィルム等は通気性があるため、そのまま貼付けた状態でトレイの膨張や反りを防止することができる。弁、コック、テープ等は、開閉可能なものとして、トレイの膨張や反りがあった場合に、膨張や反りが平坦に戻るまで、テープを開放したり、コックや弁を緩めておく必要がある。平坦に戻った後は、シールを貼ったり、コックや弁を閉めることが好ましい。
【００１９】
上記のようなトレイを搬送する場合、トレイの底面に少なくとも両側対称に２個以上の脚部が取り付けてあるとリフターの爪が入りやすく好ましい。好ましい脚部の配置としては、トレイのコーナー部４箇所、またはトレイの対向する２辺に設けることが例示される。トレイの底面及び脚部、並びに床面の間の空間部にリフターの爪を入れてペリクル収納容器を持ち上げることにより、ペリクルを安静的に清浄的に、搬送時の振動による発塵もなく搬送することができる。
【００２０】
この時、リフターの爪の積載部分の長さがトレイの短辺の長さより長い場合には、トレイの長辺から該長辺と対向する長辺までを該爪で支えて持ち上げることが可能となる。一方、リフターの爪の積載部分の長さがトレイの短辺の長さより短い場合には、該爪の先端部がトレイ底面を突上げることになる。しかしながら、本発明のペリクル収納容器においては、該爪の先端部がトレイの内周部の底面を持ち上げるようにすることで、中空部により底面のみが突上がり天面はそのままの状態を保てるためペリクル膜への接触を防ぐことが可能となる。
【００２１】
上記のようなトレイを洗浄する場合、拭きあげ、水洗等があるが発塵や生産タクトの面から水洗がより好ましい。水洗の場合、通気手段から水が入る恐れがあり、水が入ると乾燥に時間がかかるため、通気手段を封止した状態で水洗することが好ましい。
封止手段としては、テープ、防水通気性フィルム、コック、弁等があげられるが、防水と洗浄の観点から、テープや防水通気性フィルムがより好ましい。防水通気性フィルムとしては、例えばゴアテックス社製の防水通気性メンブレン（ゴアテックスメンブレン）等などがあげられる。
【００２２】
また、トレイ３や蓋４の材質は、エンジニアリングプラスチック、強化プラスチック、金属等が好ましい。軽量化、成型性の観点から、プラスチック素材が選択される場合が多く、アクリル樹脂、アクリロニトリル樹脂、ポリカーボネート樹脂、ポリエチレンテレフタレート樹脂、アクリロニトリル・ブタジエン・スチレン樹脂等を用いることができる。更に上記樹脂以外に、ポリエチレンテレフタレート以外のポリエステル樹脂、ポリエチレンやポリプロピレン等のオレフィン系樹脂、ポリスチレンやアクリロニトリル・スチレン樹脂等のポリスチレン系樹脂等を用いることもできる。上記の樹脂には、静電気による異物付着を防止するために制電性を付与しても良い。また、繊維強化プラスチックも用いることが出来る。金属を選択する場合、軽量化の観点から、アルミニウムを用いてもよい。
【００２３】
内周部に中空部を有するトレイの製造方法としては、天面を構成する板材と底面を構成する板材との間を外周部に入れる枠材で接着する方法があげられる。トレイ底面を構成する板材としては平坦な方形状のものを使用し、天面を構成する板材としては外周部が平坦で方形の枠形状で内周部が平坦な方形状であり、ペリクル収納容器を水平面に静置した時に該外周部に対して該内周部が低くなるように段差を設けたものを使用すると、ペリクル膜がトレイに接触するリスクをさらに低下させることが可能となるためより好ましい。
【００２４】
トレイ外周部の枠材としては、前述したトレイや蓋の材質と同じ物が好適に使用でき、剛性と軽量化の観点からアルミニウム合金がより好ましい。特に最外周部にはアルミニウム合金の板材を枠材として使用してトレイの天面及び底面と接着剤で接着することによってシール性を確保するとともに、外周部のペリクルが載置される部分にはハニカム構造を有する材料を枠材として使用することが好ましい。
また、水洗を考えると、枠材として防水機能を有する防水ハニカム構造を有する金属を使用することも好ましい。
【００２５】
トレイ３や蓋４は、上述の材質を用いて、真空成形、射出成形、または貼り合せ等の組立にて製造することができる。特に大型の蓋４の場合は真空成形が好ましい。蓋４の厚さは、１ｍｍ〜１０ｍｍが望ましい。
トレイ３や蓋４の寸法は、収納されるペリクル２の大きさに応じて設定されており、収納するペリクル２より少し大きい寸法を有している。
【００２６】
例えばペリクル２は、図１及び図２に示すようにペリクル膜２ｃと、該ペリクル膜２ｃの外周部が貼着されたペリクルフレーム２ａ、及びペリクルフレーム２ａをマスクやレティクルに貼着するためにペリクルフレーム２ａに沿って塗布されたマスク用粘着材層２ｂ等を有している。マスク用粘着材層２ｂの表面（下面）には、離型紙等の保護フィルム等からなる離型材２ｄが貼着されている。
ペリクル２のトレイ３への固定方法としては、マスク用粘着材層２ｂより面積が大きい離型材２ｄを使用して、離型材２ｄのはみ出し部分を粘着テープによりトレイ３に貼着したり、ペリクルフレーム２ａに形成した係止溝にトレイ３に設けた係止部材を係止したり、トレイ３と蓋４とでペリクルフレーム２ａを挟持して固定する等、特に限定されるものではない。
【００２７】
該脚部５は、外周部に間隔をあけて複数配置されていることが好ましく、バランス上の理由でペリクル収納容器の４辺上に配置されていることがより好ましい。フオークリフトの爪部を入れる部分を確保するために収納容器底面の４隅、または対向する２辺上に配置されていることがより好ましい。
脚部５の高さは、１０〜３０ｃｍが好ましい。高さが１０ｃｍ以上であればリフターの爪部を入れる部分を確保しやすく、３０ｃｍ以内であれば無駄な空間の増加を防ぐことができる。また、脚部５の材質は、プラスチックや金属が使用できる。また、脚部５がプラスチックや金属からなる上部とクッション性を有する材料からなる下部との二部からなるものであってもよい。脚部５の材質がトレイ３と同じ材質であれば、トレイ３と一体成形することが可能である。一方、脚部５の材質がトレイ３と異なる材質であれば、後加工でネジや接着材によってトレイ３の底面の外周部に取り付ける。
【００２８】
ペリクル２を上記ペリクル収納容器１に収納する際には、図１及び図２に示すように、トレイ３の天面３ａの中央付近にペリクル２を載置し固定した状態で、トレイ３に蓋４が被せられる。その後、例えばトレイ３と蓋４が、四隅をクリップ等で把持して留められるか、或いは粘着テープをトレイ３と蓋４の最外周部に張り巡らすことによって留められるかして、ペリクル２のある内部空間Ａが密封される。なお、トレイ３と蓋４を固定する方法は、特に限定されるものではない。
また、ペリクル２をペリクル収納容器１から取り出す方法としては、例えばトレイ３の底面を吸着把持して固定し、ロボットハンドが蓋４を吸着把持して該蓋４を上方に持ち上げることによってペリクル２を取り出す方法があげられる。
【００２９】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【実施例】
【００３０】
以下に具体的な実施例及び比較例を示すと共に、それらの評価について詳細に説明する。
〔実施例１〕
ペリクルは、外径寸法が幅１７４８ｍｍ×奥行き１５２６ｍｍ、高さ８ｍｍのものを用いた。ペリクル収納容器のトレイは、外径寸法が幅１９００ｍｍ×奥行き１７００ｍｍ、高さ６５ｍｍとなるように製作した。トレイの天面と底面とは、アルミニウム製の厚さ２ｍｍの板材を用いた。底面を構成する板材としては平坦な方形状のものを使用し、天面を構成する板材としては外周部が平坦な方形の枠形状で内周部が平坦な方形状であり、外周部に比較して内周部が４１ｍｍ低くなるように段差を設けたものを使用した。中空部の外径寸法は幅１７００ｍｍ×奥行き１４００ｍｍ、中央部の高さ２０ｍｍである。トレイ外周部の枠材には、ハニカム構造を有するアルミニウム製のパネルとアルミニウム製の板材を後者が最外周側になるように配置し、該枠材、並びに天面を構成する板材及び底面を構成する板材を接着剤で接着し密閉シールした。脚部の外径寸法は幅８０ｍｍ×奥行き１５０ｍｍ、高さ１５０ｍｍの超高分子ポリエチレン製のブロックをトレイ底面の４隅にそれぞれ配置した。トレイの上部を覆う蓋は、外径寸法が幅１９００ｍｍ×奥行き１７００ｍｍ、高さ１００ｍｍ、３ｍｍ厚のアクリル樹脂板の真空成型品を用いた。
【００３１】
トレイの底面に、トレイの外部と中空部とをつなぐ直径２ｍｍの通気孔を設け、封止手段として４ｍｍ角のテープ（日東電工製エコクリアテープ）を用いた。
トレイを水洗した結果、該通気孔内に水の侵入が無く乾燥も速かった。
次に、このペリクル収納容器を標高５９０ｍの高台から標高１９ｍの低地までトラックに積載して輸送した。その結果、トレイ底面に５ｍｍの凹状の反りが発生したが、上記テープを一旦通気孔より剥離することで瞬時に反りは回復して平面に戻った。その後再度通気孔に該テープをはった。
次に、このペリクル収納容器のトレイの底面及び脚部、並びに床面の間の空間部にリフターの爪を入れて、該リフターの爪の先端部が該トレイの内周部の底面にあたるように持ちあげ搬送した結果、トレイ天面のペリクル膜との接触はなく、マスク用粘着材層におけるエアパスの発生もなかった。
次に、このペリクル収納容器をペリクル自動取出装置にセットしてペリクルの自動取り出しを行ったところ、トレイ底面の反りがないため、ペリクル自動取出装置でのトレイ吸着固定がスムーズにいき、蓋の開放もスムーズだった。
なお、トレイ底面の凹状の反りは、トレイの対向する二長辺の中央部間にたこ糸を展張し、底面との最大離間距離を定規で測定して反り量とした。
【００３２】
〔実施例２〕
トレイと中空部との間に通気孔を設けない構成以外は、実施例１と同様のペリクル収納容器を用いた。
次に、実施例１と同様にトラックに積載して輸送した。その結果、トレイ底面に５ｍｍの凹状の反りが発生した。
次に、このペリクル収納容器のトレイの底面及び脚部、並びに床面の間の空間部にリフターの爪を入れて、該リフターの爪の先端部が該トレイの内周部の底面にあたるように持ちあげ搬送した結果、トレイ天面のペリクル膜との接触はなく、マスク用粘着材層におけるエアパスの発生もなかった。
次に、このペリクル収納容器を実施例１と同様のペリクル自動取出装置にセットしてペリクルの自動取り出しを行ったところ、ペリクル自動取出装置でのトレイ吸着が出来ずに、トレイをしっかりと固定することができなかった。そのため、この自動取出装置では、蓋の開放がスムーズにはおこなえなかった。
【００３３】
〔実施例３〕
トレイの底面に、トレイの外部と中空部とをつなぐ直径２ｍｍの通気孔を設け、封止しない構成以外は、実施例１と同様のペリクル収納容器を用いた。
実施例１と同様に水洗した結果、該通気孔から水が中空部に侵入したため、水洗後に十分に水をきっても、乾燥に時間を要した。
【００３４】
〔比較例１〕
トレイを中空部を持たない厚み４ｍｍのアルミニウム製の板材とした以外は、実施例１と同様のペリクル収納容器を用いた。
このペリクル収納容器のトレイの底面及び脚部、並びに床面の間の空間部にリフターの爪を入れて、該リフターの爪の先端部が該トレイの底面にあたるように持ちあげ搬送した結果、トレイ天面とペリクル膜の接触が発生した。
【産業上の利用可能性】
【００３５】
本発明は、ペリクル収納容器として利用することができる。
【符号の説明】
【００３６】
１  ペリクル収納容器
２  ペリクル
２ａ  ペリクルフレーム
２ｂ  マスク用粘着材層
２ｃ  ペリクル膜
２ｄ  離型材
３  トレイ
３ａ  天面
３ｂ  底面
３ｃ  外周部
３ｄ  内周部
３ｅ  中空部
４    蓋
５    脚部
【図１】
2010217775.tif 000003
【図２】
2010217775.tif 000004